(57)【要約】【課題】従来の技術ではスクランブルを行った映像を特殊再生する際に、自由な速度で特殊再生できず、また、ランダムアクセス時にもレスポンス時間が遅くなるなどの課題がある。【解決手段】前記スクランブル装置は映像の予測符号化画像を第１のスクランブル鍵（例えば、偶数鍵または奇数鍵）でスクランブルし、映像のフレーム内符号化画像を第２のスクランブル鍵でスクランブルして送出するようにしたので、第２のスクランブル鍵を不変とすれば特殊再生やランダムアクセスをレスポンス良く自由なタイミングや速度で実施することが可能となる。【選択図】図３
2005341219.tif 000002
【特許請求の範囲】
【請求項１】
映像を端末装置に送出するセンタ装置であって、
映像をスクランブルするスクランブル手段と、
前記スクランブル手段によりスクランブルされた映像を前記端末装置に送出する送出手段と、を備え、
前記スクランブル手段は、前記映像の予測符号化画像を第１のスクランブル鍵でスクランブルし、前記映像のフレーム内符号化画像を第２のスクランブル鍵でスクランブルすることを特徴とする、センタ装置。
【請求項２】
前記第１のスクランブル鍵は、２つのスクランブル鍵からなることを特徴とする、請求項１に記載のセンタ装置。
【請求項３】
前記送出手段は、
前記第１のスクランブル鍵を映像に付随する共通情報に含めて送出し、
前記第２のスクランブル鍵を個別情報に含めて送出することを特徴とする、請求項１または２に記載のセンタ装置。
【請求項４】
前記送出手段は、前記第２のスクランブル鍵を、前記第１のスクランブル鍵を送出する第一の周波数帯域とは独立した第二の周波数帯域で送出することを特徴とする、請求項１から３のいずれか一項に記載のセンタ装置。
【請求項５】
映像を端末装置に送出するための映像送出方法であって、
映像をスクランブルするスクランブルステップと、
前記スクランブルステップによりスクランブルされた映像を前記端末装置に送出する送出ステップと、を備え、
前記スクランブルステップは、前記映像の予測符号化画像を第１のスクランブル鍵でスクランブルし、前記映像のフレーム内符号化画像を第２のスクランブル鍵でスクランブルすることを特徴とする、映像送出方法。
【請求項６】
前記第１のスクランブル鍵は、２つのスクランブル鍵からなることを特徴とする、請求項５に記載の映像送出方法。
【請求項７】
前記送出ステップは、
前記第１のスクランブル鍵を映像に付随する共通情報に含めて送出し、
前記第２のスクランブル鍵を個別情報に含めて送出することを特徴とする、請求項５または６に記載の映像送出方法。
【請求項８】
前記送出ステップは、前記第２のスクランブル鍵を、前記第１のスクランブル鍵を送出する第一の周波数帯域とは独立した第二の周波数帯域で送出することを特徴とする、請求項５から７のいずれか一項に記載の映像送出方法。
【発明の詳細な説明】
【技術分野】
【０００１】
本発明はＣＡＴＶや衛星、地上波放送、インターネットなどの伝送路を利用して映像を提供するビデオオンデマンドや蓄積再生などの映像提供システムおよびスクランブル方法に関するものである。
【背景技術】
【０００２】
従来、早送りや巻き戻しなどの特殊再生を行う映像提供システムにおいて映像をスクランブルする方法としては、例えば特開２００３−４６８７３号公報に開示されている方法がある。図８は従来の映像提供システムの構成を示す図であり、図９は従来技術のスクランブル方法を示す図である。以下図８および図９を用いて従来の技術を説明する。
【０００３】
送信装置８０１ではＫｓ生成部８０３がＫｓ更新間隔ごとに使用するスクランブル鍵Ｋｓをスクランブル部８０２に送信するとともに、ＥＣＭ生成部８０４に対して、直前に使用したＫｓ＿ｂと直後のＫｓ更新時に使用する予定のＫｓ＿ａを送信する。スクランブル部８０２では受信したＫｓで映像のスクランブルを行い、ＥＣＭ生成部８０４は受信したＫｓ、Ｋｓ＿ａ、Ｋｓ＿ｂをＥＣＭ（共通情報）に含めてＥＣＭを生成する。送信部８０７はスクランブルされた映像とＥＣＭなどを多重して伝送路に送出し、受信機８１１が受信部８１２により映像やＥＣＭなどを受信する。受信機８１１では受信したＥＣＭをＥＣＭ復号部８１６が解析し、その中に含まれるＫｓ、Ｋｓ＿ａ、Ｋｓ＿ｂを得る。そのうち映像のデスクランブルに必要な鍵をデスクランブル部８１４に送信し、デスクランブル部８１４が映像のデスクランブルを行うことで元の映像を得ることができる。このとき視聴判定部８１７があらかじめ受信しているＥＭＭ（個別情報）やＥＣＭを比較して視聴可否判定を行い、視聴可否の状況に応じてＥＣＭ復号部８１６からデスクランブル部８１４への鍵の送信を制御することが可能である。
【０００４】
上記Ｋｓ、Ｋｓ＿ａ、Ｋｓ＿ｂの種類を示したのが図９であり、図９にあるとおり、映像をスクランブルするためのＫｓはスクランブル区間ごとに奇数鍵、偶数鍵と２種類の鍵を交互に変更している。ＥＣＭ内には各スクランブル区間に応じて現在使用中のＫｓとその直前のＫｓおよび直後のＫｓを格納して送信している。以上のようにＫｓを送信することで映像の再生をスクランブル区間３→２→１のように巻き戻し再生をする場合でも、そのときのＥＣＭを受信することで直前のスクランブル区間のＫｓを得ることができるのでスクランブルをかけたままの映像で巻き戻し再生を実現することが可能となる。
【特許文献１】特開２００３−４６８７３号公報
【発明の開示】
【発明が解決しようとする課題】
【０００５】
しかしながら、前記従来の構成では、あるスクランブル区間ではＥＣＭ内に偶数鍵あるいは奇数鍵のどちらかが必ず２つ格納されており、次に使用するＫｓがその２つのうちどちらが適切かということは、ＥＣＭ復号部８１６あるいはデスクランブル部８１４が今現在の再生が順方向なのか逆方向なのかを判断して使用する必要があり、受信機内部の制御が複雑になる。またＭＰＥＧ（Ｍｏｖｉｎｇ  Ｐｉｃｔｕｒｅ  Ｅｘｐｅｒｔ  Ｇｒｏｕｐ）フォーマットの映像の早送りや巻き戻しなどの特殊再生を行う場合には映像のフレーム内符号化画像（Ｉピクチャ）のみを表示させることで実現することが多く、高速な特殊再生を行う場合、適当な数のＩピクチャを飛ばして表示を行うことで実現する。しかし、従来の技術では適当な数のＩピクチャを飛ばすとスクランブル区間を飛ばしてしまうこともあるため、この場合、適切なＫｓを取得できずに高速な特殊再生時には適切なデスクランブル処理ができなくなるという課題があり、またランダムアクセス時には適切なＫｓをその時点のＥＣＭから取得する必要があるため再生までのレスポンスが遅くなるという課題がある。
【０００６】
本発明は従来技術の課題を解決するもので、特殊再生を行う場合に最適なスクランブル方法およびそれを実現する映像提供システムを提供することを目的とする。
【課題を解決するための手段】
【０００７】
前記従来の課題を解決するために、本発明の、映像を端末装置に送出するセンタ装置は、映像をスクランブルするスクランブル手段と、前記スクランブル手段によりスクランブルされた映像を前記端末装置に送出する送出手段と、を備え、ここで、前記スクランブル手段は、前記映像の予測符号化画像を第１のスクランブル鍵でスクランブルし、前記映像のフレーム内符号化画像を第２のスクランブル鍵でスクランブルすることを特徴とする。
【０００８】
本発明の一実施の形態において、前記第１のスクランブル鍵は、２つのスクランブル鍵からなる。
【０００９】
本発明の一実施の形態において、前記送出手段は、前記第１のスクランブル鍵を映像に付随する共通情報に含めて送出し、前記第２のスクランブル鍵を個別情報に含めて送出する。
【００１０】
本発明の別の一実施の形態において、前記送出手段は、前記第２のスクランブル鍵を、前記第１のスクランブル鍵を送出する第一の周波数帯域とは独立した第二の周波数帯域で送出する。
【００１１】
本発明はまた、映像を端末装置に送出するための映像送出方法を提供し、ここで、上記の映像送出方法は、映像をスクランブルするスクランブルステップと、前記スクランブルステップによりスクランブルされた映像を前記端末装置に送出する送出ステップと、を備え、前記スクランブルステップは、前記映像の予測符号化画像を第１のスクランブル鍵でスクランブルし、前記映像のフレーム内符号化画像を第２のスクランブル鍵でスクランブルすることを特徴とする。
【００１２】
本発明の一実施の形態において、前記第１のスクランブル鍵は、２つのスクランブル鍵からなる。
【００１３】
本発明の一実施の形態において、前記送出ステップは、前記第１のスクランブル鍵を映像に付随する共通情報に含めて送出し、前記第２のスクランブル鍵を個別情報に含めて送出する。
【００１４】
本発明の別の一実施の形態において、前記送出ステップは、前記第２のスクランブル鍵を、前記第１のスクランブル鍵を送出する第一の周波数帯域とは独立した第二の周波数帯域で送出する。
【００１５】
本発明はまた、上述のセンタ装置を備えたシステム、ならびに上述の映像送出方法を実行するためのプログラム、およびこれを記録した記録媒体を包含する。
【発明の効果】
【００１６】
本発明によれば、スクランブル手段は映像の予測符号化画像を第１のスクランブル鍵でスクランブルし、映像のフレーム内符号化画像を第２のスクランブル鍵でスクランブルするようにしたので、早送りや巻き戻しなどの特殊再生を行う場合にも速度を自由に設定でき、ランダムアクセス時にも高速なレスポンスを実現することが可能となる。
【発明を実施するための最良の形態】
【００１７】
以下本発明の実施の形態について、図面を参照しながら説明する。なお、本発明はこれらの実施の形態に何ら限定されるものではなく、その要旨を逸脱しない範囲において、種々なる態様で実施し得る。
【００１８】
本実施形態では限定受信システムの一例であるデジタルＣＡＴＶシステムを用いて説明する。
【００１９】
（実施の形態１）
図１は、本発明の実施の形態１における映像提供システムのセンタ装置の要部を示すブロック図である。センタ装置１０１は、映像を送出する映像源１０２と、映像源１０２およびスクランブル部１０４と接続され映像のフレーム内符号化画像（Ｉピクチャ）の位置を検出するＩピクチャ検出部１０３と、共通情報（ＥＣＭ）を生成するために必要な番組情報を管理する番組情報管理部１０５と、スクランブル鍵Ｋｓを生成し送信するＫｓ生成部１０６と、個別情報（ＥＭＭ）を生成するために必要な個別情報およびマスタ鍵Ｋｍを管理する個別情報管理部１０８と、ワーク鍵Ｋｗを生成し送信するＫｗ生成部１０９と、Ｉピクチャ検出部１０３、Ｋｓ生成部１０６および多重部１１１と接続され、受信したＫｓを使用して映像にスクランブルを行い送信するスクランブル部１０４と、番組情報管理部１０５、Ｋｓ生成部１０６、Ｋｗ生成部１０９および多重部１１１に接続され受信した各情報を元にＥＣＭを生成し送信するＥＣＭ生成部１０７と、個別情報管理部１０８、Ｋｗ生成部１０９および多重部１１１に接続され受信した各情報を元にＥＭＭを生成し送信するＥＭＭ生成部１１０と、映像、ＥＣＭおよびＥＭＭを多重して１つのストリームとし変調部１１２に送信する多重部１１１と、受信したストリームを多値ＱＡＭなどで変調して伝送路１１３に送信する変調部１１２とを具備している。
【００２０】
図２は本実施の形態１における受信機の要部を示すブロック図である。受信機２０１は伝送路１１３を介してセンタ装置１０１に接続されている。受信機２０１は、センタ装置１０１からのストリームを受信するチューナ２０２および復調部２０３と、ストリームから映像およびＥＣＭ、ＥＭＭを分離する分離部２０４と、映像をスクランブル鍵Ｋｓを用いてデスクランブルするデスクランブル部２０５と映像の出力制御を行う出力制御部２０６と、分離部２０４から必要なＥＭＭを取得するＥＭＭ取得部２１０と取得したＥＭＭを復号し個別情報とワーク鍵Ｋｗを取得するＥＭＭ処理部２１１と、分離部２０４から必要なＥＣＭを取得するＥＣＭ取得部２０７と、取得したＥＣＭをワーク鍵Ｋｗで復号し、スクランブル鍵Ｋｓと番組情報を取得してスクランブル鍵をデスクランブル部２０５に送信するＥＣＭ処理部２０８と、個別情報と番組情報を比較して映像を視聴可能と判断した場合にＥＣＭ処理部２０８に対し、スクランブル鍵Ｋｓの送信を許可する視聴判定部２０９とを具備している。
【００２１】
以上のような構成の映像提供システムについて、その動作を説明する。
【００２２】
センタ装置１０１において、映像源１０２はＭＰＥＧ２などのフレーム内符号化画像（Ｉピクチャ）および予測符号化画像（ＰピクチャまたはＢピクチャ）を含むフォーマットで映像を送出し、Ｉピクチャ検出部１０３は受信した映像のうちＩピクチャの位置を検出してそのＩピクチャの位置情報を映像とともにスクランブル部１０４に送出する。Ｋｓ生成部１０６はＩピクチャをスクランブルする特殊鍵（Ｋｓ＿Ｓｐ）を生成してスクランブル部１０４に送信するとともに、ＰピクチャおよびＢピクチャをスクランブルする奇数鍵（Ｋｓ＿Ｏｄｄ）と偶数鍵（Ｋｓ＿Ｅｖｅｎ）を周期的に更新しながらスクランブル部１０４に送信し、さらにＫｓ＿Ｓｐ、Ｋｓ＿Ｏｄｄ、Ｋｓ＿Ｅｖｅｎを適宜ＥＣＭ生成部１０７に送信する。スクランブル部１０４はＩピクチャの位置情報を元に映像のＩピクチャをＫｓ＿Ｓｐでスクランブルし、Ｐ、ＢピクチャをＫｓ生成部１０６で指定されたＫｓ＿ＯｄｄまたはＫｓ＿Ｅｖｅｎを使用してスクランブルし、映像を送出する。このときＫｓ＿ＳｐでスクランブルしたＴＳパケットのヘッダ部にあるＴＳＣ（Ｔｒａｎｓｐｏｒｔ＿Ｓｃｒａｍｂｌｉｎｇ＿Ｃｏｎｔｒｏｌ：スクランブル制御値）の値は‘０１’とする。Ｋｓ＿Ｏｄｄ，Ｋｓ＿Ｅｖｅｎを使用した場合は従来どおりそれぞれ‘１１’、‘１０’とする。
【００２３】
ＥＣＭ生成部１０７は入力されたＫｓ＿Ｓｐ、Ｋｓ＿Ｏｄｄ、Ｋｓ＿ＥｖｅｎをＥＣＭに格納し、Ｋｗ生成部１０９より受信したワーク鍵Ｋｗを使用してＥＣＭを暗号化して送出する。以上のように映像のスクランブルに使用したスクランブル鍵ＫｓとＥＣＭ内のＫｓのタイミング図を図３に示す。
【００２４】
受信機２０１のデスクランブル部２０５は受信した映像をデスクランブルする際にＴＳパケットのＴＳＣ値を元にＥＣＭ内のどのＫｓを使用するかを判断する。つまりＴＳＣ値が‘０１’の場合にはＫｓ＿Ｓｐを使用し、‘１１’、‘１０’の場合はそれぞれＫｓ＿Ｏｄｄ、Ｋｓ＿Ｅｖｅｎを使用する。
【００２５】
以上のように本実施の形態ではＩピクチャを従来の奇数鍵、偶数鍵とは別の特殊鍵でスクランブルするようにしたので、この特殊鍵を同一番組中の映像では不変とすることで、Ｉピクチャを使用した早送りや巻き戻しなどの操作を行う場合でも即時にデスクランブルを実施することが可能となり、どのタイミングでも同一の鍵であるため早送りや巻き戻しの速度も自由に設定でき、ランダムアクセス時にもＩピクチャから再生するので、同一の鍵を保持しておけば瞬時に再生を開始できるという効果が得られる。
【００２６】
なお本実施の形態では特殊鍵Ｋｓ＿ＳｐをＥＣＭに格納するとしたが、Ｋｓ生成部１０６からＥＭＭ生成部１１０にＫｓ＿Ｓｐを送ることによりＥＭＭに格納して逐次送信しても良い。この場合、受信機２０１ではＥＭＭ処理部２１１がＫｓ＿Ｓｐを取得しデスクランブル部２０５に設定しても良い。このように特殊鍵をＥＭＭで送ることにより、その番組の契約者にのみ特殊鍵を送信することができ、特殊鍵の秘匿度を向上できるという効果が得られる。
【００２７】
（実施の形態２）
図４は本発明の実施の形態２における映像提供システムのセンタ装置の要部を示すブロック図である。センタ装置４０１は実施の形態１におけるセンタ装置１０１にさらに送信部４１４と混合部４１５を含んだものである。送信部４１４はＫｓ生成部４０６からＫｓ＿Ｓｐを受信し、通信できる形式に変換して混合部４１５に送信し、混合部４１５は変調部４１２から受信したストリームとＫｓ＿Ｓｐを周波数多重して伝送路４１３に送信する。その他の構成は図１と同様であるので説明は割愛する。
【００２８】
図５は実施の形態２における受信機５０１の構成の要部を示すブロック図である。受信機５０１は実施の形態１における受信機２０１にさらに分配部５１２と受信部５１３を含んだものである。分配部５１２は伝送路４１３から受信した信号を周波数分離してＫｓ＿Ｓｐを受信部５１３に送信し、その他の信号をチューナ５０２に送信する。受信部５１３は受信したＫｓ＿Ｓｐをデスクランブル部５０５に送信する。その他の構成は図２と同様であるので説明は割愛する。
【００２９】
以上の構成よりなる映像提供システムについて、その動作を説明する。
【００３０】
センタ装置４０１では、Ｋｓ生成部４０６が映像のスクランブルするようにスクランブル鍵Ｋｓ＿Ｏｄｄ、Ｋｓ＿ＥｖｅｎおよびＩピクチャ専用のＫｓ＿Ｓｐを生成しスクランブル部４０４に送信すると共に、Ｋｓ＿ＯｄｄおよびＫｓ＿ＥｖｅｎはＥＣＭ生成部４０７に送信し、Ｋｓ＿Ｓｐは送信部４１４に送信する。送信部４１４では受信したＫｓ＿Ｓｐをパケット化するなど通信に適した形式に変換し混合部４１５に送信する。混合部４１５はストリームとＫｓ＿Ｓｐを別々の周波数帯域に分けて多重し、伝送路４１３に送出する。
【００３１】
受信機５０１では、分配部５１２が伝送路４１３より受信した信号からＫｓ＿Ｓｐを分離して受信部５１３に送信する。受信部５１３はＫｓ＿ＳＰを受信し、デスクランブル部５０５に送信する。
【００３２】
以上のように本実施の形態２では特殊鍵Ｋｓ＿Ｓｐの受信処理にＥＣＭ処理部５０８やＥＭＭ処理部５１１などを含む限定受信モジュールを使用しないので、偶数鍵と奇数鍵しか処理できない従来の限定受信モジュールを本実施の形態の映像提供システムで利用できるという従来の資産を有効活用できるという効果がある。
【００３３】
なお、送信部４１４はＫｓ＿Ｓｐをパケット化するとしたが、インターネット技術を用いてＩＰパケットフォーマットや、ＥＭＭパケットフォーマットなど様々なパケット化を利用してもよく、柔軟なシステム構成が可能となる。またＫｓ＿Ｓｐを秘密鍵や公開鍵などで暗号化して送信してもよく、Ｋｓ＿Ｓｐの秘匿度を向上させることが可能となる。
【００３４】
また、特殊鍵の送信を別の周波数帯域で行うようにしたが、別の伝送路で送信することも可能であり、柔軟なシステム構成が可能となる。
【００３５】
（実施の形態３）
図６は本発明の実施の形態３における映像提供システムの受信機の要部を示すブロック図である。センタ装置は実施の形態１の図１と同様とする。
【００３６】
受信機６０１は図２の受信機２０１にさらに映像ＥＣＭ蓄積部６１２と再生制御部６１３を含んだものであり、分離部６０４は復調部６０３、映像ＥＣＭ蓄積部６１２、ＥＭＭ取得部６１０に接続され、映像ＥＣＭ蓄積部６１２は分離部６０４、再生制御部６１３、デスクランブル部６０５、ＥＣＭ取得部６０７に接続され、再生制御部６１３は映像ＥＣＭ蓄積部６１２と接続され、さらに受信機６０１に接続された映像再生装置６１４からのデータを受信する。また、ＥＣＭ取得部６０７は映像ＥＣＭ蓄積部６１２およびＥＣＭ処理部６０８に接続されるものとする。その他の構成は図２と同様であるため説明は割愛する。
【００３７】
以下、受信機６０１を用いた映像提供システムの動作を説明する。
【００３８】
センタ装置１０１は実施の形態１で述べたように映像のＩピクチャを同一番組内では不変とする特殊鍵Ｋｓ＿Ｓｐを用いてスクランブルし、Ｐ、Ｂピクチャを奇数鍵Ｋｓ＿Ｏｄｄ、偶数鍵Ｋｓ＿Ｅｖｅｎを交互更新しながら使用してスクランブルを行い、伝送路１１３に送出する。
【００３９】
映像ＥＣＭ蓄積部６１２は分離部６０４がストリームから分離した映像およびＥＣＭを受信し、映像はスクランブルしたままＥＣＭと共に記憶、保持する。再生制御部６１３は映像再生装置６１４の再生要求を受信し、映像ＥＣＭ蓄積部６１２に対して映像の再生指示を行う。再生指示を受けた映像ＥＣＭ蓄積部６１２は該当する映像をデスクランブル部６０５に送出するとともにＥＣＭをＥＣＭ取得部６０７に送信する。ＥＣＭ取得部６０７は取得すべきＥＣＭを取得しＥＣＭ処理部６０８へ送信し、ＥＣＭ処理部６０８がＥＣＭ内のＫｓを取得しデスクランブル部６０５へ送信する。デスクランブル部６０５は映像のＴＳパケットのＴＳＣ値を見て適切なＫｓを選択してデスクランブルを行い、映像を出力制御部６０６へと送信する。
【００４０】
再生制御部６１３が早送りや巻き戻しの要求を受けた場合にも映像ＥＣＭ蓄積部６１２に指示を送り、映像ＥＣＭ蓄積部は指示どおりの特殊再生を実行する。このときＩピクチャのスクランブルに使用した鍵は特殊鍵Ｋｓ＿Ｓｐであるため、早送りでも巻き戻しでも自由な速度で実行することが可能である。
【００４１】
以上のように本実施の形態３では映像をスクランブルしたまま受信機６０１に蓄積するようにしたので、映像の著作権を保護することが可能となり、さらに、Ｉピクチャを特殊鍵でスクランブルしているので、特殊再生も自由な速度で実施することが可能となる。
【００４２】
なお、本実施の形態ではＥＣＭ内に特殊鍵を格納しているが、特殊鍵を別の周波数帯域で送信したり、ＥＭＭで送信したりすることも可能であり、システム構成を柔軟にでき、特殊鍵の秘匿度を向上させることができる。
【００４３】
（実施の形態４）
図７は本発明の実施の形態４における映像提供システムのセンタ装置の要部を示すブロック図である。
【００４４】
センタ装置７０１は図１のセンタ装置１０１にさらに蓄積送出部７１４を含んでおり、蓄積送出部７１４はスクランブル部７０４、ＥＣＭ生成部７０７、多重部７１１と接続され、スクランブル部７０４はスクランブルした映像を蓄積送出部７１４に送信し、ＥＣＭ生成部７０７は生成したＥＣＭを蓄積送出部７１４に送出する。また多重部７１１は蓄積送出部７１４から受信した映像およびＥＣＭとＥＭＭ生成部７１０から受信したＥＭＭとを多重して送出する。その他の構成は図１と同様であるので説明は割愛する。
【００４５】
以上の構成よりなる映像提供システムについて、その動作を説明する。
【００４６】
センタ装置７０１は映像の送出時間になる前に予め映像源７０２より映像を送出し、スクランブル部７０４によりスクランブルを行い、蓄積送出部７１４にスクランブルした映像とともにスクランブル時に使用したＫｓを含むＥＣＭを蓄積しておく。そして映像の送出時刻になると蓄積送出部７１４が該当する映像をＥＣＭとともに送出する。
【００４７】
以上のように本実施の形態４では映像を送出前に予めスクランブルして蓄積するので、蓄積送出部７１４を複数設置したとしても映像をスクランブルするためのＩピクチャ検出部７０３およびスクランブル部７０４などは１つずつあれば良く、リアルタイムで複数の番組を送出して逐次スクランブルするよりもシステム構成が簡易になり、設備のコストも低減させることが可能となる。
【００４８】
なお実施の形態１から４ではＣＡＴＶを利用したがこれに限定されること無く、データ送信できる媒体であれば衛星、地上波放送、インターネットや携帯電話などを利用することも可能である。
【産業上の利用可能性】
【００４９】
本発明にかかる映像提供システムは、スクランブルを行った映像の特殊再生を効率的に実施できるという効果を有し、ＣＡＴＶや衛星、地上波放送等の放送システムとして有用であり、またビデオオンデマンド、インターネットや携帯電話等を利用した映像提供システム等の用途にも応用できる。
【図面の簡単な説明】
【００５０】
【図１】本発明の実施の形態１におけるセンタ装置の要部を示すブロック図
【図２】本発明の実施の形態１における受信機の要部を示すブロック図
【図３】本発明の実施の形態１におけるＥＣＭ内のＫｓと使用するＫｓを示すタイミング図
【図４】本発明の実施の形態２におけるセンタ装置の要部を示すブロック図
【図５】本発明の実施の形態２における受信機の要部を示すブロック図
【図６】本発明の実施の形態３における受信機の要部を示すブロック図
【図７】本発明の実施の形態４におけるセンタ装置の要部を示すブロック図
【図８】従来の映像提供システムの要部を示すブロック図
【図９】従来のスクランブル方法を示すタイミング図
【符号の説明】
【００５１】
１０１    センタ装置
１０３    Ｉピクチャ検出部
１０４    スクランブル部
１０６    Ｋｓ生成部
１０７    ＥＣＭ生成部
２０１    受信機
２０５    デスクランブル部
２０７    ＥＣＭ取得部
２０８    ＥＣＭ処理部
４０１    センタ装置
４０３    Ｉピクチャ検出部
４０４    スクランブル部
４０６    Ｋｓ生成部
４０７    ＥＣＭ生成部
４１４    送信部
５０１    受信機
５０５    デスクランブル部
５０７    ＥＣＭ取得部
５０８    ＥＣＭ処理部
５１３    受信部
６０１    受信機
６０５    デスクランブル部
６０７    ＥＣＭ取得部
６０８    ＥＣＭ処理部
６１２    映像ＥＣＭ蓄積部
６１３    再生制御部
７０１    センタ装置
７０３    Ｉピクチャ検出部
７０４    スクランブル部
７０６    Ｋｓ生成部
７０７    ＥＣＭ生成部
７１４    蓄積送出部
【図１】
2005341219.tif 000003
【図２】
2005341219.tif 000004
【図３】
2005341219.tif 000005
【図４】
2005341219.tif 000006
【図５】
2005341219.tif 000007
【図６】
2005341219.tif 000008
【図７】
2005341219.tif 000009
【図８】
2005341219.tif 000010
【図９】
2005341219.tif 000011